(57)【特許請求の範囲】
【請求項１】
背負式作業機（Ｓ）が載置される載置台（１６）を備えた載置部（８）と、この載置部（８）と略直交する方向に延びる起立部（１０）とからなる略Ｌ字形の棒状のフレーム本体（６）と、
このフレーム本体（６）の前記載置部（８）に、該載置部（８）と１本の棒を為すようにかつ該載置部（８）に対して該載置部（８）の長手方向に伸縮自在に取り付けられた棒状の脚部（１８）と、
この脚部（１８）に設けられて、前記背負式作業機（Ｓ）の下部を固定する固定具（２４）と、
前記フレーム本体（６）に回転自在に設けられた車輪（１４，１４）と、
前記フレーム本体（６）の前記起立部（１０）に該起立部（１０）の長手方向に移動可能に取り付けられて、前記背負式作業機（Ｓ）の上部を係止する係止部（３２）と、
前記フレーム本体（６）の前記起立部（１０）に設けられたハンドル（３６）と、
を備えたことを特徴とする背負式作業機の移動装置（１）。
【請求項２】
前記フレーム本体（６）および前記脚部（１８）は、パイプからなることを特徴とする請求項１に記載の背負式作業機の移動装置。
【請求項３】
前記係止部（３２）は、前記背負式作業機（Ｓ）の背負バンド（Ｂ）の取付部（Ｇ）を係止するフック（３２）であることを特徴とする請求項１または請求項２に記載の背負式作業機の移動装置。
【発明の詳細な説明】
【０００１】
【発明の属する技術分野】
本発明は、背負式動力噴霧機等の背負式作業機を載せて移動させるための背負式作業機の移動装置に関する。
【０００２】
【従来の技術】
背負式動力噴霧機は、背負って移動したり、作業を行うだけでなく、移動用のカートに載せられて、手で引いて移動したり、作業を行う場合がある。
図６および図７は、背負式動力噴霧機を載せて移動する従来の移動装置（カート）を示す側面図および正面図である。この従来の背負式動力噴霧機の移動装置５０は、パイプがＵ字状に曲げられて形成され、水平方向に延びる載置部５２と、パイプがＵ字状に曲げられて形成され、鉛直方向に延びる起立部５４とが、これらの切り離されている両端部を支持板５６，５６に連結されて、枠状に形成されたフレーム５８を備えている。載置部５２の前端部は、下方に斜めに曲げられて、脚部６０とされている。また、起立部５４の上端部は、この移動装置５０を手で引くときに作業者により把持されるハンドル６２とされている。支持板５６，５６間には、車軸６４が横架され、この車軸６４の両端部に車輪６６、６６が回転自在に取り付けられている。
【０００３】
また、移動装置５０に背負式動力噴霧機Ｓ１を固定するために、フレーム５８の起立部５４の両側にサイド金具６８，６８が設けられ、また載置部５２に当て金具７０が設けられている。
左右のサイド金具６８，６８はそれぞれ、背負式動力噴霧機Ｓ１の高さと幅に合わせて高さと幅が調節されて、止め金具７２と止めねじ７４とにより、起立部５４の両側に固定される。サイド金具６８、６８間には、バンド７６が掛け渡され、角環７８を用いて締め付けられる。
当て金具７０は、背負式動力噴霧機Ｓ１の架台の前端が当接する位置に調節されて、載置部５２にボルト等により固定される。
【０００４】
また、フレーム５８の起立部５４に中間部には、ホース巻き金具８０が固定されており、このホース巻き金具８０に背負式動力噴霧機Ｓ１に使用されるホースが巻きつけられるようになっている。
【０００５】
このような背負式動力噴霧機の移動装置５０に背負式動力噴霧機Ｓ１を固定するには、背負式動力噴霧機Ｓ１の前端の位置に合わせて、当て金具７０の位置を調節し固定して、背負式動力噴霧機Ｓ１を載置部５２に載置する。また、背負式動力噴霧機Ｓ１の高さと幅に合わせて、サイド金具６８，６８の高さと幅を調節し、止め金具７２と止めねじ７４とにより起立部５４の両側に固定し、その後バンド７６を角環７８を用いて締め付ける。
【０００６】
【発明が解決しようとする課題】
しかしながら、この従来の背負式動力噴霧機の移動装置５０にあっては、フレーム５８がパイプをＵ字状に曲がられて形成された載置部５２および起立部５４により構成されているので、加工工程が多く、加工コストが高くなるとともに、嵩張るため、運搬および保管コストが高くなり、さらに組み立てる上でも接合個所が多く、組立工程が多くなるため、組立コストが高くなるという問題がある。
また、移動装置５０に背負式動力噴霧機Ｓ１を固定する場合に、背負式動力噴霧機Ｓ１の高さと幅に合わせて、サイド金具６８，６８の高さと幅を調節し、その後にバンド７６で締め付ける必要があるので、手間がかかり面倒である。
【０００７】
また、バンド７６で背負式動力噴霧機Ｓ１を締め付けるため、背負式動力噴霧機Ｓ１のタンク等を大きく傷付け易い。
さらに、バンド７６で固定するために、背負式動力噴霧機Ｓ１の重量が重い場合に、バンド７６に加わる負荷が大きく、バンド７６が緩んでしまうという問題がある。しかも、当て金具７０は背負式動力噴霧機Ｓ１の前端に当接されるだけで、固定する機能がないため、背負式動力噴霧機Ｓ１が動くので、バンド７６がより緩み易い。
【０００８】
本発明は、上記事情に鑑みて為されたもので、製造コストを低減することができるとともに、背負式作業機の大きさに合わせて容易に且つ確実に取り付けることができ、さらに背負式作業機を傷付けることを抑制することが可能な背負式作業機の移動装置を提供することを目的とする。
【０００９】
【課題を解決するための手段】
上記目的を達成するために、請求項１に記載の背負式作業機の移動装置は、背負式作業機（Ｓ）が載置される載置台（１６）を備えた載置部（８）と、この載置部（８）と略直交する方向に延びる起立部（１０）とからなる略Ｌ字形の棒状のフレーム本体（６）と、このフレーム本体（６）の前記載置部（８）に、該載置部（８）と１本の棒を為すようにかつ該載置部（８）に対して該載置部（８）の長手方向に伸縮自在に取り付けられた棒状の脚部（１８）と、この脚部（１８）に設けられて、前記背負式作業機（Ｓ）の下部を固定する固定具（２４）と、前記フレーム本体（６）に回転自在に設けられた車輪（１４，１４）と、前記フレーム本体（６）の前記起立部（１０）に該起立部（１０）の長手方向に移動可能に取り付けられて、前記背負式作業機（Ｓ）の上部を係止する係止部（３２）と、前記フレーム本体（６）の前記起立部（１０）に設けられたハンドル（３６）と、を備えたことを特徴とする。
【００１０】
請求項１に記載の移動装置に背負式作業機を固定するには、先ず、脚部を載置部の長手方向に伸縮させて、背負式作業機の下部の寸法に合わせて、脚部の載置部に対する伸縮量を調節して、脚部を載置部に固定しておく。
次いで、背負式作業機を載置台上に載せる。
次いで、係止部を起立部の長手方向に移動させて、係止部を背負式作業機の上部に係止する。
次いで、背負式作業機の下部を固定具で固定する。
背負式作業機を固定した移動装置を移動させるには、ハンドルを持って車輪により走行させる。
【００１１】
請求項１に記載の発明においては、フレーム本体および脚部がそれぞれ１本の棒状に形成されているので、加工工程が少なく、加工コストを低減でき、また１本の棒状なので、嵩張らないため、運搬および保管コストを低減でき、さらにこれらフレーム本体と脚部を組み立てる際にも、取り付け個所が少ないので、組立コストを低減できる。したがって、移動装置の製造コストを低減することができる。
【００１２】
また、移動装置に背負式作業機を固定する場合に、背負式作業機の高さに合わせて係止部を移動させて係止するとともに、背負式作業機の下部の寸法に合わせて、脚部の載置部に対する伸縮量を調節し、固定具で固定すればよいので、背負式作業機の大きさに合わせて、移動装置に容易に取り付けることができる。さらに、背負式作業機の上部と下部の２ヵ所を取り付け、下部は固定具により固定されるので、背負式作業機を確実に移動装置に固定することができる。
さらに、背負式作業機は係止部および固定具により固定されるので、たとえ背負式作業機が傷付くにしても、この部分に限定されるため、広い範囲が傷付くことがなく、しかも傷付く部分が限定されていることから、固定部分にのみ弾性材を介在させればよいなど、傷付け防止策も容易にとることができる。
【００１３】
請求項２に記載の背負式作業機の移動装置は、請求項１に記載の発明において、前記フレーム本体（６）および前記脚部（１８）は、パイプからなることを特徴とする。
【００１４】
請求項２に記載の発明においては、フレーム本体および脚部を軽量化することができ、ひいては移動装置を軽量化することができる。
【００１５】
請求項３に記載の背負式作業機の移動装置は、請求項１または請求項２に記載の発明において、前記係止部（３２）は、前記背負式作業機（Ｓ）の背負バンド（Ｂ）の取付部（Ｇ）を係止するフック（３２）であることを特徴とする。
【００１６】
請求項３に記載の発明においては、背負式作業機に通常装備されている背負バンドの取付部を用いて背負式作業機の上部を係止することができるとともに、フックに取付部を引っ掛ければよいので、係止部の構造を簡略化することができるとともに、取り付け作業をさらに容易に行うことができる。
【００１７】
なお、上記における括弧内の符号は、図面において対応する要素を便宜的に表記したものであり、したがって本発明は図面上の記載に限定されるものではない。これは、「特許請求の範囲」の欄の記載についても同様である。
【００１８】
【発明の実施の形態】
以下、本発明の実施の形態を図面を参照して説明する。
図１乃至図３は、本実施の形態に係る背負式動力噴霧機の移動装置を示す図であって、図１は側面図、図２は正面図、図３は斜視図である。なお、二点鎖線で示した背負式動力噴霧機は、エンジン等を省略して、薬剤タンク一体型の架台のみを図示した。
この背負式動力噴霧機の移動装置（カート）１は、パイプが９０°曲げられて、水平方向でかつ前後方向、および鉛直方向に向けて配置されたベースパイプ２と、このベースパイプ２の上端に突き合わされて溶接により接合され、鉛直方向上方に延びている直線状パイプからなるメーンパイプ４とからなる略Ｌ字状のフレーム本体６を備えている。フレーム本体６のうち、ベースパイプ２の水平方向に延びている部分は、背負式動力噴霧機Ｓが載置される載置部８とされ、またベースパイプ２の鉛直方向に延びている部分およびメーンパイプ４からなる鉛直方向に一直線状に長く延びている部分は、フレーム本体６の起立部１０を構成している。
【００１９】
フレーム本体６の載置部８の後端部（屈曲部近傍）の下側には、左右方向に延びる車軸１２の中央部が溶接により固定されている。この車軸１２は、中央部分は山形に形成され、両側の部分は水平に延びており、両端部に車輪１４，１４が回転自在に取り付けられている。車軸１２と載置部８との固定部を補強するために、車軸１２の中央部と載置部８との間にはＵ字状の補強材１５が溶接により固定されている。
また、載置部８の後側部分の上側には、左右方向に水平に延びる平板状のベースプレート（載置台）１６の中央部が溶接により固定されている。ベースプレート１６の左右の端部分は下方に折り曲げられて、その各下端がそれぞれ車軸１２における左右の車輪１４，１４より内側の位置に溶接により固定されている。
【００２０】
また、載置部８の前端部には、パイプが略「く」字状に曲げられてなる脚部１８が次のようにして取り付けられている。すなわち、脚部１８が前後方向に延びるようにして、脚部１８の一端部（後端部）が載置部８の前端部内に挿入され、そして止めねじ２０が載置部８に螺合され、この止めねじ２０が締め付けられて、止めねじ２０の先端により脚部１８が圧接されることにより、載置部８に脚部１８が固定される。これにより、載置部８への脚部１８の挿入量を所望の量にして、載置部８に脚部１８を固定することができるので、載置部８に対して脚部１８を載置部８の長手方向に伸縮自在に取り付けることができる。
なお、脚部１８の後端部に所定間隔をおいて穴を形成して、これらの穴に止めねじ２０を挿入するようにしたり、あるいは脚部１８の後端部に所定間隔をおいて雌ねじを形成して、これらの雌ねじに止めねじ２０の先端部を螺合するようにするなどして、所定の複数位置で脚部１８を載置部８に固定するようにすることもできる。
脚部１８の斜め前方に延びる部分の先端は、車輪１４，１４の地面への設置位置とほぼ同じ高さになるように設定されている。
【００２１】
脚部１８には、縦断面形状が略「く」字状の前側ベースプレート２２が、一方の平板部２２ａが脚部１８の水平に延びる部分の上側前端部に位置され、また他方の平板部２２ｂが脚部１８の斜め前方に延びる部分の前面上端部に位置されて、溶接により固定されている。この前側ベースプレート２２の前側の斜め前方に延びる平板部２２ｂには、縦断面形状が略「へ」字状の板からなる固定具２４が、短い方の平板部２４ａが平板部２２ａの上側に位置され、また長い方の平板部２４ｂが平板部２２ｂの上側に重ねられて、取り付けられている。この固定具２４の平板部２４ｂの中央部には縦方向に長い長穴が形成されており、この長穴に止めねじ２６が挿入され、この止めねじ２６が平板部２２ｂに形成された雌ねじに螺合されて、固定具２４が平板部２２ｂに取り付けられている。したがって、固定具２４を長穴の長さの分だけ、平板部２２ｂに対して、平板部２２ｂに沿って上下に移動させることができるようになっている。
【００２２】
フレーム本体６の起立部１０の中間部の外側には、短筒からなるスライド金具２８が起立部１０の長手方向に移動可能に嵌入されている。このスライド金具２８は、図４に示すように、止めねじ３０がスライド金具２８の側部に螺合され、この止めねじ３０が締め付けられて、止めねじ３０の先端により起立部１０が圧接されることにより、起立部１０にスライド金具２８が固定される。これにより、スライド金具２８を起立部１０の長手方向（上下方向）の任意の位置に移動させて、止めねじ３０によりスライド金具２８を起立部１０に固定することができる。
このスライド金具２８の前側には、断面形状が釣り針状の板からなるフック（係止部）３２が溶接により固定されている。また、スライド金具２８の後側には、左右方向に延びるホース掛け３４の中央部が溶接により固定されている。このホース掛け３４の両端部はそれぞれ、上方に向けて折曲されている。このホース掛け３４には、背負式動力噴霧機Ｓに使用されるホースが巻きつけられる。
【００２３】
背負式動力噴霧機Ｓの薬剤タンクＴの後側上端部には、図５に示すように、背負バンドＢの取付具Ｇが設けられており、この取付具Ｇの三角環状の背環Ｋの底辺部Ｋ１の中央部が、図４に示すように、前記フック３２に引っ掛けられる。背環の２つの斜辺部Ｋ２，Ｋ２には背負バンドＢの上端部が取り付けられる。
【００２４】
また、起立部１０の上端部には、弓形のハンドル３６が溶接により固定されている。なお、ハンドル３６を取り付けないで、起立部１０の上端部分をハンドルとして使用することも可能である。
また、起立部１０の下端部（ベースパイプ２の鉛直方向に延びている部分）には、門形の背当てパイプ３８の中央部が溶接により固定されており、この背当てパイプ３８の左右の下端はそれぞれ、ベースプレート１０の後端部の左右端部に溶接により固定されている。
【００２５】
この背負式動力噴霧機の移動装置１に背負式動力噴霧機Ｓを固定するには、先ず、背負式動力噴霧機Ｓの背面側（背負側）がフレーム本体６の起立部１０側に位置するようにして、背負式動力噴霧機Ｓをベースプレート１６上に載せる。
次いで、スライド金具２８を起立部１０に沿って上下に移動させて、背負式動力噴霧機Ｓの取付具Ｇの背環Ｋの底辺部Ｋ１に、フック３２に引っ掛け、この位置でスライド金具２８を止めねじ３０により起立部１０に固定する。
【００２６】
次いで、固定具２４をその長穴に沿って上下斜め方向に移動させて、背負式動力噴霧機Ｓの架台Ｄの先端部の中央部を、この固定具２４と前側ベースプレート２とで挟み込んで、この状態で止めねじ２６を締め付けて固定する。固定具２４と架台Ｄとの間には、架台１０を傷付けないようにするために、弾性材４０を介在させる。なお、予め、脚部１８を載置部８の長手方向に伸縮させて、架台Ｄの前後方向の幅に合わせて、脚部１８の載置部８に対する伸縮量を調節し、この位置で脚部１８を止めねじ２０により載置部１８に固定しておく。
背負式動力噴霧機Ｓを固定した移動装置１を移動させるには、ハンドル３６を持って２輪走行させる。
【００２７】
このような背負式作業機の移動装置１にあっては、フレーム本体６および脚部１８がそれぞれ１本のパイプが曲げられて形成されているので、加工工程が少なく、加工コストを低減でき、また１本の棒状なので、嵩張らないため、運搬および保管コストを低減でき、さらにこれらフレーム本体６と脚部１８を組み立てる際にも、接合個所が少なく、しかもフレーム本体６に脚部１８を挿入して止めねじ２０で締め付ければよいので、組立コストを低減できる。したがって、移動装置１の製造コストを低減することができる。
【００２８】
また、移動装置１に背負式動力噴霧機Ｓを固定する場合に、背負式動力噴霧機Ｓの高さに合わせてスライド金具２８を移動させて固定し、フック３２に取付具Ｇを引っ掛けるとともに、架台Ｄの前後方向の幅に合わせて、脚部１８の載置部８に対する伸縮量を調節し、架台Ｄの前端部を固定具２４で固定すればよいので、背負式動力噴霧機Ｓの大きさに合わせて、移動装置１に容易に取り付けることができる。さらに、背負式動力噴霧機Ｓの上部と下部の２ヵ所を取り付け、下部（架台Ｄ）は固定具２４により固定されるので、背負式動力噴霧機Ｓを確実に移動装置１に固定することができる。
さらに、背負式動力噴霧機Ｓは取付部Ｇおよび架台Ｄの前端部だけが固定されるので、たとえ背負式動力噴霧機Ｓが傷付くにしても、この部分に限定されるため、広い範囲が傷付くことがなく、しかも傷付く部分が限定されていることから、固定具２４の内側に弾性材４０を介在させればよいなど、傷付け防止策も容易にとることができる。
【００２９】
なお、上記実施の形態では、背負式動力噴霧機Ｓの移動装置（カート）１について説明したが、本発明は、背負式動力散布機等の他の背負式作業機の移動装置にも適用することができる。
【００３０】
【発明の効果】
以上説明したように、本発明の背負式作業機の移動装置によれば、製造コストを低減することができるとともに、背負式作業機の大きさに合わせて容易に且つ確実に取り付けることができ、さらに背負式作業機を傷付けることを抑制することができる。
【図面の簡単な説明】
【図１】本発明の実施の形態に係る背負式動力噴霧機の移動装置を示す側面図である。
【図２】同、正面図である。
【図３】同、斜視図である。
【図４】スライド金具部分を上からみた図である。
【図５】背負式動力噴霧機の背負バンドの取付具を示す正面図である。
【図６】従来の背負式動力噴霧機の移動装置を示す側面図である。
【図７】同、正面図である。
【符号の説明】
１    背負式動力噴霧機の移動装置（背負式作業機の移動装置）
６    フレーム本体
８    載置部
１０    起立部
１４    車輪
１６    ベースプレート（載置台）
１８    脚部
２４    固定具
３２    フック（係止部）
３６    ハンドル
Ｓ    背負式動力噴霧機（背負式作業機）
Ｂ    背負バンド
Ｇ    取付部
【図１】
0003909745.tif 000002
【図２】
0003909745.tif 000003
【図３】
0003909745.tif 000004
【図４】
0003909745.tif 000005
【図５】
0003909745.tif 000006
【図６】
0003909745.tif 000007
【図７】
0003909745.tif 000008